(57)【要約】【課題】時刻修正を行ってからの経過時間を表示できる電波修正時計および電波修正時計の制御方法を提供する。【解決手段】　基準クロックを入力して現時刻を計時する現時刻情報記憶回路４１と、この計時された現時刻を表示する表示部５と、時刻情報を含んだ標準電波を受信する受信部２と、受信部２で受信した時刻情報に基づいて現時刻を修正する現時刻修正回路４２とを備えた電波修正時計１において、受信部２で受信した時刻情報を記憶する受信時刻記憶回路４３と、受信時刻記憶回路４３に記憶された受信時刻情報と現時刻情報記憶回路４３で計時された現時刻との時刻差を算出することにより、受信部２で時刻情報を受信してからの経過時間を算出する経過時間算出回路４４とが設けられ、経過時間算出回路４４で算出された経過時間を表示部５に表示させる。【選択図】図１ 
2004077492.tif 000002
【特許請求の範囲】
【請求項１】
基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計にコンピュータが組み込まれ、このコンピュータを、前記受信手段で受信した時刻情報を記憶する受信時刻記憶手段と、前記受信時刻記憶手段に記憶された受信時刻情報と前記計時手段で計時された現時刻との時刻差を算出することにより、前記受信手段で前記時刻情報を受信してからの経過時間を算出する経過時間算出手段と、前記経過時間算出手段で算出された経過時間を表示する経過時間表示手段として機能させるための電波修正時計の制御プログラム。
【発明の詳細な説明】
【技術分野】
【０００１】
　本発明は、電波修正時計および電波修正時計の制御方法に関する。特に、時刻修正を行ってからの経過時間を表示することができる電波修正時計および電波修正時計の制御方法に関する。
【背景技術】
【０００２】
　時刻情報が重畳された長波標準電波を受信して時刻修正を行う電波修正時計が知られている。このような電波修正時計は、設定された受信時刻に時刻情報を受信して自動的に時刻修正を行う。
　ところが電波修正時計では周囲の電界状況、例えば磁界の影響や建物の奥で電波が届きにくいなどにより、設定された受信時刻に時刻情報を正常に受信できず、時刻修正を実行できない可能性がある。そこで、正常に時刻情報を受信しているか否かを表示できる電波修正時計が知られている。
【０００３】
　例えばアナログ式電波修正時計では、ユーザーの外部入力操作により、直近（前回）の設定された受信時刻に正常に受信が行われた場合には、秒針が“１２”の目盛を指し、直近の設定された受信時刻に正常に受信が行われなかった場合には、秒針が“６”の目盛を指すものがある。これによって、ユーザーは時刻情報が正常に受信できているか否かを知ることができる。
　この他、直近の設定された受信時刻に正常に受信が行われた場合には、ランプを点灯させるものもある。
【発明の開示】
【発明が解決しようとする課題】
【０００４】
　しかしながら、上記の構成では、直近の設定された受信時刻に受信が正常に行われていないことが判明しても、時刻情報の受信がどの程度の期間に渡って行われていないのかまでは判断できない。そのため、ユーザーは、表示されている時刻がどの程度ずれているのか、さらには、強制的に時刻情報を受信して時刻修正を行う必要があるのかまでは判断できないという問題がある。
【０００５】
　ちなみに、前回の受信に成功した時刻を記憶して、この時刻を表示することは理論上可能であり、特開平１１−２１１８５７号公報に開示されている。しかし、アナログ式で前回の受信に成功した時刻を表示するためには、指針（時針、分針）を何回転もさせなければならない。よって、表示するための時間と消費電力を考慮すると現実的ではないという問題がある。さらに、受信時刻を示すだけでは、１２時間以内の期間しか表示することはできないという問題がある。
【０００６】
　本発明の目的は、従来の問題を解消し、時刻修正を行ってからの経過時間を表示できる電波修正時計および電波修正時計の制御方法を提供することにある。
【課題を解決するための手段】
【０００７】
　請求項１に記載の電波修正時計は、基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計において、前記受信手段で受信した時刻情報を記憶する受信時刻記憶手段と、前記受信時刻記憶手段に記憶された受信時刻情報と前記計時手段で計時された現時刻との時刻差を算出することにより、前記受信手段で前記時刻情報を受信してからの経過時間を算出する経過時間算出手段と、前記経過時間算出手段で算出された経過時間を表示する経過時間表示手段とが設けられていることを特徴とする。
【０００８】
　このような構成によれば、計時手段は、基準クロックをカウントすることにより、現時刻を計時する。この現時刻は、現時刻表示手段によって表示される。時刻情報を含んだ標準電波を受信すると、この時刻情報に基づいて、現時刻修正手段により計時手段で計時される現時刻が修正される。一方、受信時刻記憶手段は、受信手段で受信された時刻情報を記憶することにより、時刻情報を受信して時刻修正を行った日時を記憶する。経過時間算出手段は、受信時刻記憶手段に記憶された日時（受信時刻情報）と計時手段で計時される現時刻との時刻差を算出する。すると、時刻情報に基づいて時刻修正を行ってから現在までの経過時間を算出することができる。この算出された経過時間は、経過時間表示手段に表示され、時刻修正を行ってから現在までの時間、つまり、時刻修正を行っていない間の経過時間を表示することができる。
【０００９】
　このように、経過時間算出手段によって時刻修正を行っていない経過時間を表示することができるので、例えば、水晶精度の月差が２０秒の電波修正時計であるとおおよその見積もりができれば、時刻修正を行っていない経過時間を加味して表示される現時刻がどの程度の誤差を含んでいるのか判断できる。例えば、経過時間が５日であると判れば、おおよその誤差は５秒であると見積もることができる。時刻修正を行ってからの経過時間を知ることができれば、時刻情報を受信して時刻修正を行う必要があるのかどうかの判断もできる。例えば、経過時間がそれほど長くなければ、わざわざ時刻修正を行う必要もないと判断できる。逆に、経過時間が長くなっていれば、時刻情報を受信して時刻修正を行う必要があると判断できる。時刻情報を受信して時刻修正を行うには、一般に数分程度必要で、また、消費電力も大きく、受信場所も限られる。このことを考慮すれば、経過時間の表示によって、時刻修正を行うかどうか判断できることは大変すぐれた利便性を発揮する。
【００１０】
　計時手段の現時刻と時刻情報を受信した日時との時刻差を求める場合は、経過時間を表示させるときだけ経過時間算出手段によって演算すればよいので、消費電力を増加させることはない。
【００１１】
　請求項２に記載の電波修正時計は、基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計において、前記受信手段によって時刻情報を受信した時からの経過時間を前記基準クロックを用いて計測する経過時間計測手段と、前記経過時間計測手段によって計測された経過時間を表示する経過時間表示手段とが設けられていることを特徴とする。
【００１２】
　このような構成によれば、計時手段は、基準クロックをカウントすることにより、現時刻を計時する。この現時刻は現時刻表示手段に表示される。受信手段によって時刻情報を含んだ標準電波を受信すると、この時刻情報に基づいて現時刻修正手段によって計時手段で計時する現時刻が修正される。一方、経過時間計測手段は、時刻修正を行った時点をゼロとしてそこからの基準クロックをカウントすることにより経過時間を計測する。この計測された経過時間は、経過時間表示手段によって表示され、時刻修正を行ってから現在までの時間、つまり、時刻修正を行っていない間の経過時間を表示することができる。
【００１３】
　このような構成においても請求項１に記載の発明と同様の効果を奏することができる。つまり、経過時間計測手段によって計測された経過時間を表示することにより、時刻修正を行うかどうかを判断する判断材料を提供することができる。
　経過時間計測手段によって経過時間を計測するのは、計時手段と同じ基準クロックをカウントさせるようにすれば良いので簡便である。
【００１４】
　請求項３に記載の電波修正時計は、請求項１または２に記載の電波修正時計において、前記現時刻表示手段は、指針により行なわれ、前記経過時間表示手段は、前記指針のひとつにより、前記経過時間に対応する文字板上の目盛を指示させることによって前記経過時間を表示することを特徴とする。
【００１５】
　このような構成によれば、経過時間表示手段は、現時刻表示手段である指針を用いて経過時間を表示できるので、従来の電波修正時計に経過時間を表示するための表示部を別個設ける必要はない。秒および分はいずれも６０目盛まであるので、経過時間を時間単位で表示すれば５９時間まで表示でき、また、日単位で表示すれば５９日まで表示できる。同様に時針では１１日まで表示できる。
　また、例えば、複数モータ式で指針駆動する場合、秒針、分針および時針は駆動制御が比較的簡単なので、秒針、分針または時針を利用して経過時間を表示させることは、現時刻表示機能の簡便な改良によって行うことが可能である。よって、簡便で、かつ低コストで経過時間を表示する電波修正時計とすることができる。
【００１６】
　請求項４に記載の電波修正時計は、請求項１〜３のいずれかに記載の電波修正時計において、前記経過時間表示手段は、前記指針のひとつが一旦基準位置に移動した後、前記指針のひとつが前記経過時間に対応する文字板上の目盛を指示することによって前記経過時間を表示することを特徴とする。
【００１７】
　請求項５に記載の電波修正時計は、請求項４に記載の電波修正時計において、前記基準位置は、指針の帰零位置であることを特徴とする。
【００１８】
　このような構成によれば、一旦基準位置に移動する動作によって、ユーザーが現時刻表示から経過時間表示に移行したことを理解しやすい。さらに、基準位置を零位置とすれば、一旦秒針、分針または時針が帰零したのちに指し示す目盛りをもって経過時間を示すことができる。よって、時刻修正を行ってからの経過時間を秒針、分針または時針が指し示す目盛で表すことができ、ユーザーが経過時間を読取やすい。例えば、経過時間が１日であれば、秒針、分針または時針が目盛の“１”を指すようにすればよい。
【００１９】
　請求項６に記載の電波修正時計は、請求項１または２に記載の電波修正時計において、現時刻の秒を示す秒針を備えた現時刻表示手段が設けられ、前記経過時間表示手段は、前記秒針を含んで構成され、前記経過時間表示手段は、前記経過時間に応じて決定される経過時間指示位置で前記秒針が現時刻を表示するための駆動とは異なる経過時間表示駆動を行うことによって前記経過時間を表示することを特徴とする。
【００２０】
　請求項７に記載の電波修正時計は、請求項６に記載の電波修正時計において、前記通常と異なる経過時間表示駆動とは前記経過時間表示位置で設定された時間停止することであることを特徴とする。
【００２１】
　このような構成において、秒針を経過時間に応じて決められる位置、例えば、経過時間が１日であれば目盛の１で通常の現時刻表示とは異なる経過時間表示駆動をさせれば、経過時間を示すことができる。経過時間表示駆動として、経過時間に応じた位置で秒針を一瞬停止させれば経過時間を表示することができる。
　秒針は通常の現時刻表示を行う駆動でも６０秒で一周するように駆動され、経過時間を表示する位置までは通常の現時刻表示の駆動がなされる。秒針が経過時間を表示する位置に差し掛かったところで秒針を一時停止させる。その後、早送りして通常の現時刻表示を行う駆動に復帰させれば、経過時間の表示と現時刻の表示を同時に行うことができる。
　本発明によれば、通常の現時刻を行いながら、同時に経過時間の表示を行うことができる。
【００２２】
　請求項８に記載の電波修正時計は、請求項１〜７のいずれかに記載の電波修正時計において、前記受信手段が前記標準電波の自動受信を行う自動受信時刻を記憶した自動受信スケジュール記憶手段が設けられ、前記経過時間表示手段は、前記自動受信時刻の間隔以上の前記経過時間を表示することを特徴とする。
【００２３】
　請求項９に記載の電波修正時計は、請求項８に記載の電波修正時計において、前記経過時間表示手段は、経過時間が２７時間以上となった場合にその経過時間を表示することを特徴とする。
【００２４】
　請求項１０に記載の電波修正時計は、請求項１〜９のいずれかに記載の電波修正時計において、前記経過時間表示手段は、前記経過時間を時単位および日単位のいずれかによって表示することを特徴とする。
【００２５】
　電波修正時計は、時刻情報を受信して時刻修正を行う受信スケジュールが設定されているのが一般的である。そこで、設定された自動受信時刻の間隔、例えば、１日に一回の受信が設定されている場合は２４時間未満の経過時間は受信に失敗したのではなく、正常に時刻修正が行われていることを意味する。そのため２４時間以内の経過時間を表示することには余り意味がない。また、例えば、クォーツ時計の精度は日差が±１秒以下なので、誤差もほとんどない。設定された自動受信時刻の間隔以上の経過時間だけを表示するようにすれば、時刻修正を行っていない経過時間だけでなく、経過時間が表示されることによって、受信に成功していないことも暗に示すことができる。
　設定された自動受信時刻に受信に成功しなくても、その後数時間は受信動作を繰り返し、時刻情報を受信することが考えられる。よって、１日（２４時間)ではなく、若干の余裕を持たせて、２４時間から所定時間経過した後の時間、例えば、２７時間以上の経過時間を表示させるようにすれば、この受信時刻のずれを表示することがなくなる。
　経過時間を表示する単位としては時単位でも日単位でもよい。常に正確な時間を知りたい場合であれば、経過時間を時単位で表示するのがよい。また、時刻修正は数日、数週間に一度で良い場合は、経過時間を日単位で表示してもよい。
【００２６】
　請求項１１に記載の電波修正時計は、請求項１〜１０のいずれかに記載の電波修正時計において、前記経過時間表示手段は、予め設定されたスケジュールに従って定期的に前記経過時間を表示することを特徴とする。
【００２７】
　請求項１２に記載の電波修正時計は、請求項１〜１１のいずれかに記載の電波修正時計において、外部から操作を行う外部操作入力部が設けられ、前記経過時間表示手段は、前記外部操作入力部の操作によって、前記経過時間の表示を行うことを特徴とする。
【００２８】
　経過時間の表示が、予め設定されたスケジュールで行われれば、ユーザーが操作しなくても自動的に経過時間を表示するので、煩わしさがなく便利である。また、外部操作入力部の操作によって経過時間を表示させるようにすれば、経過時間を知りたいときに表示させることができる。
【００２９】
　請求項１３に記載の電波修正時計の制御方法は、基準クロックを入力して現時刻を計時する計時工程と、この計時された現時刻を表示する現時刻表示工程と、時刻情報を含んだ標準電波を受信する受信工程と、前記受信工程で受信した時刻情報に基づいて前記計時工程の現時刻を修正する現時刻修正工程とを備える電波修正時計の制御方法において、前記受信工程で受信した時刻情報を記憶する受信時刻記憶工程と、前記受信時刻記憶工程で記憶した受信時刻情報と前記計時工程で計時される現時刻との時刻差を算出することにより、前記受信工程で前記時刻情報を受信してからの経過時間を算出する経過時間算出工程と、前記経過時間算出工程で算出した時刻差を表示する経過時間表示工程とが設けられていることを特徴とする。
【００３０】
　請求項１４に記載の電波修正時計の制御方法は、基準クロックを入力して現時刻を計時する計時工程と、この計時された現時刻を表示する現時刻表示工程と、時刻情報を含んだ標準電波を受信する受信工程と、前記受信工程で受信した前記時刻情報に基づいて前記計時工程の現時刻を修正する時刻修正工程とを備える電波修正時計の制御方法において、前記受信工程によって前記時刻情報を受信した時からの経過時間を前記基準クロックを用いて計測する経過時間計測工程と、前記経過時間計測工程によって計測した経過時間を表示する経過時間表示工程とが設けられていることを特徴とする。
【００３１】
　請求項１３に記載の発明によれば、請求項１に記載の発明と同様の作用効果を奏することができる。また、請求項１４に記載の発明によれば、請求項２に記載の発明と同様の作用効果を奏することができる。すなわち、経過時間算出工程、または、経過時間計測工程によって時刻修正を行っていない経過時間を表示することができる。よって、時刻修正を行っていない経過時間を加味して表示される現時刻がどの程度の誤差を含んでいるのか判断でき、さらに、時刻情報を受信して時刻修正を行う必要があるのかどうかの判断もできる。
【発明を実施するための最良の形態】
【００３２】
　以下、本発明の実施の形態を図示例と共に説明する。
　（第１実施形態）
　図１は本発明に係る電波修正時計の第１実施形態を示す図である。
　この電波修正時計１は、アナログ表示式であり、時刻情報を含んだ標準電波を受信する受信手段としての受信部２と、基準クロックを生成する基準信号生成部３と、装置全体を制御する制御回路４と、時刻等を表示する現時刻表示手段としての表示部５と、制御回路４からの指令を受けて表示部５の駆動を制御する駆動制御部６と、外部から操作するための外部操作入力部７とを備えて構成されている。
【００３３】
　受信部２は、時刻情報を含んだ標準電波を受けるアンテナ２１と、アンテナ２１で受けた時刻情報を処理（増幅、復調等）する受信回路２２と、受信回路２２で処理された信号から時刻情報をデコードするデコード回路２３と、受信回路２２に電力を供給する受信電源回路２４とを備えて構成されている。
【００３４】
　時刻情報を含んだ標準電波としては、長波標準電波（ＪＪＹ）などが利用できる。この長波標準電波のタイムコードフォーマットには、項目として現在時刻の分、時、現在年の１月１日からの通算日、年（西暦下２桁）、曜日およびうるう秒が含まれている。毎分０秒の時刻情報が一分間隔で送信される。各項目の値は、各秒毎に割り当てられた数値の組み合わせによって構成される。ちなみに、長波標準電波はセシウム原子時計を基準としているため、この長波標準電波を受信して時刻を修正する電波修正時計は、誤差が１０万年に１秒という非常に高い精度を得ることができる。
【００３５】
　受信回路２２は、制御回路４からの信号によって受信電源回路２４が起動することにより時刻情報の受信動作を開始し、受信した時刻情報はデコード回路２３に出力する。受信回路２２では、受信した時刻情報を増幅、復調する。
　この受信部２によって受信工程が行われる。
【００３６】
　基準信号生成部３は、基準振動子などで構成される発振回路３１と、この発振回路３１からのパルスを分周して基準クロック（１Ｈｚ等)を生成する分周回路３２から構成されている。生成された基準クロックは制御回路４に出力される。
【００３７】
　制御回路４は、計時手段としての現時刻情報記憶回路４１と、現時刻修正手段としての現時刻修正回路４２と、受信時刻記憶手段としての受信時刻記憶回路４３と、経過時間算出手段としての経過時間算出回路４４と、自動受信スケジュール記憶手段としての自動受信スケジュール記憶回路４５とを備えて構成されている。
　現時刻情報記憶回路４１は、基準信号生成部３で生成される基準クロックをカウントして現時刻を計測する計時工程を行う。現時刻情報記憶回路部４１で計測される現時刻は表示部５に出力されて表示される。
【００３８】
　現時刻修正回路４２は、受信部２によって受信された時刻情報が入力されると、この時刻情報に基づいて現時刻を修正する時刻修正工程を行う。この際、現時刻修正回路４２は、受信部２で受信された時刻情報が正確であるか否かを判断する。受信した時刻情報が正確であるか否かは、例えば、長波標準電波であれば、一分間隔で送信されてくる時刻情報を２フレーム以上受信して、受信した時刻情報が一分間隔の時刻情報になっているか否かで判断する。受信された時刻情報が正確であると判断され、かつ、この時刻情報と現時刻情報記憶回路４１で計時される現時刻が異なっている場合には、現時刻修正回路４２によって現時刻情報記憶回路４１の現時刻が上書き修正される。
【００３９】
　受信時刻記憶回路４３は、受信部２によって受信された時刻情報を記憶する受信時刻記憶工程を行う。このように受信部２で受信された時刻情報を記憶することにより、現時刻情報記憶回路４１が時刻修正を行った時刻を記憶する。受信時刻記憶回路４３は、受信部２で受信した直近（前回）の時刻情報を記憶し、新たに受信部２が時刻情報を受信した際には上書きされる。
【００４０】
　経過時間算出回路４４は、現時刻情報記憶回路４１でカウントされる現時刻と受信時刻記憶回路４３に記憶された受信時刻との時刻差を算出する経過時間算出工程を行う。このように、現時刻と受信時刻との時刻差を算出することにより、時刻修正を行ってから現在までの経過時間を算出する。算出された経過時間は、駆動制御部６を介して表示部５によって表示されるが、詳しい表示の方法は図３、４、７、８、９等を用いて後述する。
　自動受信スケジュール記憶回路４５には、受信部２で時刻情報を受信するスケジュールが設定されている。設定されるスケジュールとしては、例えば、１日に一回午前２時に受信を開始するように設定される。設定された受信時刻に到達すると、制御回路４から受信電源回路２５に信号が出力され、受信回路２２により時刻情報が受信される。
【００４１】
　表示部５は、アナログ式であり、目盛りを有する文字板５１と、時針５２と、分針５３と、秒針５４とを備えて構成されている。時針５２、分針５３、秒針５４は、例えばステッピングモータなどの駆動手段により駆動され、駆動制御部６を介して制御回路４からの指令によって駆動制御される。この表示部５により、現時刻表示手段が構成される。本実施形態においては、秒針５４を利用して経過時間を表示させる構成であるので、文字板５１と秒針５４によって経過時間表示手段が構成されている。経過時間を表示する秒針５４の動作については図３、４、７、８、９等において説明する。
【００４２】
　駆動制御部６は、制御回路４からの指令を受けて、表示部５の指針（時針５２、分針５３、秒針５４）を駆動させるパルス信号を出力する駆動制御回路６１と、指針（時針５２、分針５３、秒針５４）の位置を検出する針位置検出回路６２から構成されている。
　駆動制御回路６１は、現時刻情報記憶回路４１の現時刻を表示させる場合には、現時刻を表示するための通常のパルス信号を出力し、経過時間算出回路４４からの経過時間を表示させる場合には、通常とは異なる特殊な駆動パルスによって秒針５４を駆動させるが、この経過時間を表示する秒針５４の動作については図３、４、７、８、９等で説明する。
　外部操作入力部７は、りゅうず７１やボタンスイッチ７２を備えて構成されている。例えば、りゅうず７１は、０段でＲＭ１およびＲＭ２がＯＰＥＮ、１段でＲＭ１がＯＮ、２段でＲＭ２がＯＮとなるように構成され、０段では通常時刻表示（携帯状態）、１段ではカレンダ合わせ（図示せず）、２段では針位置合わせとなる。また、りゅうず７１が０段で通常の現時刻表示となり、りゅうず７１が０段でボタンスイッチ７２をＯＮする場合に、経過時間表示を行うように構成される。
【００４３】
　このような構成からなる電波修正時計１の動作を図面を参照して説明する。
　まず、時刻情報を受信して時刻修正を行う動作を図２を参照して説明する。
　ＳＴ１において、設定された受信時刻に到達すると、受信電源回路２４から電力が供給され、受信回路２２が受信動作を開始する（ＳＴ２）。すると、アンテナ２１で受けられた時刻情報が受信回路２２で処理され、デコード回路２３でデコードされて現時刻修正回路４２に出力される。このとき、現時刻修正回路４２において、時刻情報を正常に受信しているかが判断される（ＳＴ３）。ＳＴ３で時刻情報を正常に受信している（受信成功）と判断されると、ＳＴ４で受信回路２２が停止され、時刻情報は受信時刻記憶回路４３に出力される。受信時刻記憶回路４３では受信された時刻情報を記憶する（ＳＴ５）。現時刻修正回路４２では、受信された時刻情報と現時刻情報記憶回路４１の現時刻が異なっているか判断され（ＳＴ６）、異なっている場合には、現時刻情報記憶回路４１の現時刻が修正されるとともに、表示部５の時刻表示が修正される（ＳＴ７）。これは表示部５で表示される時刻が針位置検出回路６２によって検出され、現時刻情報記憶回路４１と表示部５で表示される時刻が一致していない場合には、一致させるように指針を駆動させる。
【００４４】
　ＳＴ３で受信が正常に行われなかった場合には、ＳＴ８において、受信回路２２を停止し、そのまま時刻修正を終了する。また、ＳＴ６で、受信した時刻情報と現時刻情報記憶回路４１の現時刻とが一致している場合は、時刻修正を行わず終了する。
【００４５】
　次に、時刻情報を受信してからの経過時間を表示する動作について図３を参照して説明する。
　まず、ＳＴ２１において、ユーザーが外部操作入力部７の操作によって、経過時間表示の指令を行う。例えば、りゅうず７１が０段でボタンスイッチ７２をＯＮにした場合などである。すると、ＳＴ２２において、秒針５４が基準位置である零位置に一旦帰零する。次に、ＳＴ２３において、時刻情報を受信してからの経過時間を算出する。これは、受信時刻記憶回路４３に記憶された時刻情報と現時刻情報記憶回路４１の現時刻との時刻差を経過時間算出回路４４によって算出する。経過時間は日単位で算出され、端数は切り捨てる。算出された経過時間に応じて経過時間算出回路４４から駆動制御回路６１に信号が出力され、駆動制御回路６１からのパルス信号によって、ＳＴ２４において、経過時間を示す経過時間指示位置まで秒針５４が駆動される。ここで経過時間指示位置とは、例えば、経過時間が一日以上二日以内であれば、文字板５１の目盛“１”のことであるが、詳しくは図４において説明する。ＳＴ２５において、秒針５４が経過時間を表示する位置で４秒間停止される。４秒経過したところで、ＳＴ２６において、秒針５４が早送り駆動されて、秒針５４が現時刻を表示する。
【００４６】
　図３のＳＴ２４における秒針５４の駆動における経過時間指示位置について、図４を参照して説明する。
　経過時間算出回路４４によって算出された経過時間に応じて経過時間指示位置が決定される。本実施形態においては、経過時間は日数を単位として算出される。以下、具体的に説明する。
　ＳＴ３１において、経過時間が１日以内であれば、経過時間算出回路４４で算出された経過時間が０であるので、秒針５４が帰零（図３のＳＴ２２）した後、そのまま４秒停止（図３のＳＴ２５）して経過時間の表示を終了する。ここで、図４の終了の後は、図３のＳＴ２５に続く。ＳＴ３２において、経過時間が１日以上２日以内であれば、算出される経過時間は１であるので、秒針５４は１秒まで駆動される（ＳＴ３３）。ＳＴ３４において、経過時間が二日以上３日以内であれば、算出される経過時間が２であるので、秒針５４が２秒まで駆動される（ＳＴ３５）。経過時間が５８日以上５９日以内であれば、算出される経過時間が５８であるので、秒針５４が５８秒まで駆動される（ＳＴ３７）。経過時間が５９日を超えると、算出される経過時間にかかわらず秒針５４が５９秒まで駆動される。
【００４７】
　このような構成からなる電波修正時計１による効果を説明する。
　経過時間算出回路４４が設けられ、算出された経過時間を秒針５４の指示位置によって示すことができるので、時刻修正を行っていない経過時間を表示することができる。よって、時刻修正を行っていない時間を考慮して表示されている時刻がどの程度ずれているのか見積もることができる。経過時間が短い場合は、わざわざ時刻情報を受信して時刻修正を行わなくてもよいと判断でき、逆に、経過時間が長ければ、時刻修正を行う必要があると判断できる。
【００４８】
　経過時間の算出は日単位で行い、経過時間の表示は目盛りが６０まである秒針５４を用いて行うので、５９日までの長期に渡る経過時間を表示することができる。
　経過時間の表示は、制御しやすい秒針５４の駆動によって行うので、簡便であるとともに、現時刻の表示から経過時間をすばやく表示させることができる。また、経過時間を表示した後、秒針５４を早送りして、経過時間表示から通常の現時刻表示にすばやく復帰することができる。
【００４９】
　経過時間算出回路４４は、経過時間を表示するように外部操作入力部７によって指令されたときだけ、動作すればよいので、消費電力を増加させることはない。
　経過時間表示は、時刻表示する秒針５４を兼用して行うので、経過時間を表示させるための表示部を別個設ける必要はなく、電波修正時計１を大型化しなくてもよい。
　秒針５４を一旦帰零させるので、経過時間表示に移行したことがユーザーにわかりやすい。
【００５０】
　（第２実施形態）
　本発明の第２実施形態の電波修正時計１１を図５に示す。第２実施形態は、基本的構成要素は第１実施形態と同様であるが、第２実施形態が第１実施形態と異なるのは、制御回路４の構成であって、特に、経過時間の求め方に特徴がある。
　電波修正時計１１における制御回路４は、現時刻情報記憶回路４１と、現時刻修正回路４２と、経過時間計測手段としての経過時間計測回路４６と、自動受信スケジュール記憶回路４５とを備えて構成されている。
【００５１】
　現時刻情報記憶回路４１と現時刻修正回路４２と自動受信スケジュール記憶回路４５とは第１実施形態と同様である。
　経過時間計測回路４６は、受信部２と制御回路４で時刻情報の受信に成功すると、時刻情報を受信した時点をゼロとして、その時点からの経過時間をカウントする経過時間計測工程を行う。経過時間計測回路４６は、基準信号生成部３によって生成される基準クロックをカウントすることによって経過時間を計測する。ここで、計測する経過時間は日を単位とする。
【００５２】
　このような構成からなる電波修正時計１１の動作を図６に示す。
　図２で説明した第１実施形態と基本的動作は同じであり、第１実施形態と異なる点は、ＳＴ４３で受信に成功すると、受信回路２２を停止する（ＳＴ４４）とともに、ＳＴ４６において、経過時間計測回路４６が経過時間の計測を開始する点である。
【００５３】
　このような構成によれば、受信部２で時刻情報を受信してからの経過時間が経過時間計測回路４６で計測される。この計測された経過時間は、外部操作入力部７の操作による指令がなされると、表示部５に表示される。この経過時間の表示の方法は、図３および図４で説明した第１実施形態と同様であり、秒針５４を一旦帰零したあと、計測された経過時間に従って秒針５４が経過時間指示位置まで駆動され、経過時間が示される。
　このような電波修正時計１１によれば、第１実施形態と同様の効果に加えて、経過時間計測回路４６でカウントするのは現時刻情報記憶回路４１と同じ基準クロックでよいので、簡便な構成の変更によって経過時間を計測することができる。
【００５４】
　（変形例１）
　本発明の変形例１を図７、図８に示す。この変形例１が第１実施形態と異なるのは、経過時間の表示における秒針５４の駆動にある。
　変形例１では、経過時間算出回路４４または経過時間計測回路４６によって求められた経過時間を外部操作入力部７の操作による指令ではなく自動で常時表示させることに特徴がある。
　まず、図７を参照して、秒針５４の駆動について説明する。
　ＳＴ５２において、経過時間が求められる。これは、第１実施形態で説明した経過時間算出回路４４によって経過時間を算出してもよく、または、第２実施形態で説明した経過時間計測回路４６によって計測された経過時間でもよい。ＳＴ５３において、経過時間に従って秒針５４が駆動される。これは、秒針５４が通常の現時刻を表示する駆動を行い、例えば経過時間が１日以上二日以内であれば、文字板５１の目盛“１”を示す経過時間指示位置で停止する。この秒針５４が停止する位置によって経過時間を表示する。詳しくは図８において説明する。ＳＴ５４において、秒針５４が停止して４秒経過すると、ＳＴ５５において、秒針５４を早送りすることにより、引き続き通常の現時刻を表示する。
　このような動作が毎分繰り返されることにより、通常の現時刻表示と経過時間の表示が行われる。
【００５５】
　図８を参照して変形例１における経過時間指示位置と秒針５４の駆動について説明する。
　経過時間に従った秒針５４駆動は、通常の現時刻を表示する秒針５４の駆動の途中で、経過時間を指示する位置で秒針５４が停止されることに特徴がある。つまり、ＳＴ６１において、経過時間が１日以内であれば、求められる経過時間が０であるので、秒針５４は停止することなく、通常の現時刻表示を行う。この場合、図７の終了へ続く。ＳＴ６２において、経過時間が１日以上２日以内であれば、求められる経過時間は１であるので、秒針５４は１秒まで通常の駆動をされ、１秒の位置で停止される（ＳＴ６３）。ＳＴ６３において、秒針５４が４秒停止（図７のＳＴ５４）された後は、図７のＳＴ５５における早送り駆動を行って、通常の現時刻表示に復帰する。秒針５４の停止のあと早送り駆動によって通常の現時刻表示に復帰することは以下の説明においても同様である。ＳＴ６４において、経過時間が２日以上３日以内であれば、求められる経過時間が２であるので、秒針５４が２秒まで通常の駆動をされ、２秒の位置で停止される（ＳＴ６５）。以下、経過時間が４日以内、５日以内・・・の場合などは同様である。ＳＴ６６において、経過時間が５３日以上５４日以内であれば、求められる経過時間が５３であるので、秒針５４が５３秒まで通常の駆動をされ、５３秒の位置で停止される（ＳＴ６７）。ＳＴ６６において、経過時間が５４日を超えると、求められる経過時間にかかわらず５４秒まで秒針５４が通常の駆動をされ、５４秒の位置で停止される。
【００５６】
　このような変形例１によれば次の効果を奏することができる。
　経過時間を表示するように設定しておけば、常に経過時間が表示されるので、わざわざ外部操作入力部７で操作する煩わしさがない。例えば、りゅうず７１を０段または１段にした場合に、常に経過時間表示を行うように設定しておけばよい。
　現時刻を表示する途中で経過時間を表示するので、現時刻と経過時間をともに表示することができる。
　経過時間を示す最大値を５４にしているので、４秒の停止のあと早送り駆動をすることで、毎分のゼロ秒を示すことができる。
【００５７】
　（変形例２）
　本発明の変形例２を図９に示す。変形例２が第１実施形態と異なる点は、表示する時間の単位にある。第１実施形態では、経過時間は日単位で表示したが、変形例２では、時単位で表示する。さらに、秒針５４の駆動は、変形例１と同様である。
　変形例２の前提として、自動受信スケジュール記憶回路４５には、1日に２回（２時、４時）時刻情報を受信するように受信スケジュールが設定されている。
【００５８】
　図９を参照して変形例２の経過時間表示を説明する。
　ＳＴ７１において、経過時間が２６時間以内であれば、経過時間表示をせずに、秒針５４は通常の現時刻表示を行う。ＳＴ７２において、経過時間が２６時間以上２７時間以内であれば、秒針５４が２７秒まで通常の駆動をされ、２７秒の位置で停止される（ＳＴ７３）。ＳＴ７３において、秒針５４が４秒停止された後は、例えば、図３のＳＴ２６における早送り駆動を行って、通常の現時刻表示に復帰する。秒針５４の停止のあと早送り駆動によって通常の現時刻表示に復帰することは以下の説明においても同様である。ＳＴ７４において、経過時間が２７時間以上２８時間以内であれば、秒針５４が２８秒まで通常の駆動をされ、２８秒の位置で停止される（ＳＴ７５）。以下、経過時間が、２９時間以内、３０時間以内・・・の場合などは同様である。ＳＴ７６において、経過時間が５２時間以上５３時間以内であれば、秒針５４が５３秒まで通常の駆動をされ、５３秒の位置で停止される。ＳＴ７６において、経過時間が５３時間以上であれば、算出される経過時間にかかわらず、秒針５４が５４秒まで通常の駆動をされ、５４秒の位置で停止される。
【００５９】
　このような変形例２によれば、経過時間が２６時間以内であるときは、経過時間表示を行わない。これは、自動受信スケジュール記憶回路４５に設定された自動受信が1日に２回（２時、４時）の受信では２時に受信し、４時に受信できず、次の日の２時に受信できず４時に受信した場合は、経過時間は２６時間となる。よって若干の余裕を持たせた２７時間以降を経過時間として表示すれば、自動受信に成功していないことを示すのに十分だからである。
【００６０】
　尚、本発明の電波修正時計は、上述の実施形態にのみ限定されるものではなく、本発明の要旨を逸脱しない範囲内において種々変更を加え得ることは勿論である。
　経過時間を表示するのは、秒針５４の駆動でなくても、例えば分針５３の駆動によってもよい。
　制御回路４を、ＣＰＵ、ＲＯＭ，ＲＡＭなどのコンピュータ（マイコン）で構成し、現時刻情報記憶回路４１、現時刻修正回路４２、受信時刻記憶回路４３、経過時間算出回路４４、自動受信スケジュール記憶回路４５、経過時間計測回路４６として機能させるようにしてもよい。このような構成によれば、例えば、経過時間を求める単位を、日単位から時単位に変更するなどの設定が容易に行える。
【００６１】
　例えば、電波修正時計１、１１内にＣＰＵやメモリを配置してコンピュータとして機能できるように構成し、このメモリに所定の制御プログラムやデータをインターネット等の通信手段や、ＣＤ−ＲＯＭ、メモリカード等の記録媒体を介してインストールし、このインストールされたプログラムでＣＰＵ等を動作させて、各手段を実現させればよい。
　なお、電波修正時計１、１１に所定のプログラム等をインストールするには、メモリカードやＣＤ−ＲＯＭ等を直接差し込んで行ってもよいし、これらの記憶媒体を読み取る機器を外付けで接続してもよい。さらには、ＬＡＮケーブル、電話線等に接続して通信によってプログラム等を供給しインストールしてもよいし、アンテナ２１を備えていることから無線によってプログラムを供給してインストールしてもよい。
【００６２】
　このような記録媒体やインターネット等の通信手段で提供される制御プログラム等を電波修正時計１、１１に組み込めば、プログラムの変更のみで前記各発明の機能を実現できるため、工場出荷時あるいは利用者が希望する制御プログラムを選択して組み込むこともできる。この場合、プログラムの変更のみで制御形式の異なる各種の電波修正時計１、１１を製造できるため、部品の共通化等が図れ、バリエーション展開時の製造コストを大幅に低減できる。
【００６３】
　経過時間指示位置での秒針５４の駆動（経過時間表示駆動）は停止でなくても、例えば、振動させるものでもよい。
　経過時間指示位置で秒針５４が停止する時間は４秒に限られず、４秒より長くても短くてもよい。または、秒針５４が経過時間指示位置で停止した後、外部操作入力部７の操作による指令があるまで、秒針５４が停止しつづけるようにしてもよい。
　経過時間の表示は、外部操作入力部７の操作による指令によらず、定期的に自動で表示するように設定されていてもよい。
　なお、第１実施形態、第２実施形態、変形例１、変形例２を種々適当に組み合わせることは本発明に含まれることはもちろんである。例えば、第１実施形態に変形例１を組み合わせる。第１実施形態に変形例１と変形例２を組み合わせる。第１実施形態に変形例２を組み合わせる。第１実施形態に第２実施形態を組み合わせる。第１実施形態に第２実施形態と変形例２とを組み合わせる。第２実施形態と変形例１と変形例２とを組み合わせる。
【００６４】
　上記実施形態において、表示部５は時刻を示す指針を備えたアナログ表示式であるが、デジタル表示式であってもよい。表示部５がデジタル表示式であっても、経過時間算出回路４３または経過時間計測回路４５で求められた経過時間をデジタル表示することができる。経過時間の表示は、外部操作入力部７の操作で現時刻表示の換わりに経過時間表示を開始し、外部操作入力部７の操作で経過時間表示の解除をしてもよい。または、現時刻表示をしながら、数秒間だけ経過時間表示を行うように設定してもよい。または、現時刻と経過時間を同時に並列して表示してもよい。
【００６５】
　本発明のその他の態様を以下に示す。
　第１の態様は、基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計にコンピュータが組み込まれ、このコンピュータを、前記受信手段で受信した時刻情報を記憶する受信時刻記憶手段と、前記受信時刻記憶手段に記憶された受信時刻情報と前記計時手段で計時された現時刻との時刻差を算出することにより、前記受信手段で前記時刻情報を受信してからの経過時間を算出する経過時間算出手段と、前記経過時間算出手段で算出された経過時間を表示する経過時間表示手段として機能させるための電波修正時計の制御プログラムである。
【００６６】
　第２の態様は、基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計にコンピュータが組み込まれ、このコンピュータを、前記受信手段で受信した時刻情報を記憶する受信時刻記憶手段と、前記受信時刻記憶手段に記憶された受信時刻情報と前記計時手段で計時された現時刻との時刻差を算出することにより、前記受信手段で前記時刻情報を受信してからの経過時間を算出する経過時間算出手段と、前記経過時間算出手段で算出された経過時間を表示する経過時間表示手段として機能させるための電波修正時計の制御プログラムを記録したコンピュータによる読み出し可能な記録媒体である。
【００６７】
　第３の態様は、基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計にコンピュータが組み込まれ、このコンピュータを、前記受信手段によって時刻情報を受信した時からの経過時間を前記基準クロックを用いて計測する経過時間計測手段と、前記経過時間計測手段によって計測された経過時間を表示する経過時間表示手段として機能させるための電波修正時計の制御プログラムである。
【００６８】
　第４の態様は、基準クロックを入力して現時刻を計時する計時手段と、この計時された現時刻を表示する現時刻表示手段と、時刻情報を含んだ標準電波を受信する受信手段と、前記受信手段で受信した時刻情報に基づいて前記計時手段の現時刻を修正する現時刻修正手段とを備えた電波修正時計にコンピュータが組み込まれ、このコンピュータを、前記受信手段によって時刻情報を受信した時からの経過時間を前記基準クロックを用いて計測する経過時間計測手段と、前記経過時間計測手段によって計測された経過時間を表示する経過時間表示手段として機能させるための電波修正時計の制御プログラムを記録したコンピュータによる読み出し可能な記録媒体である。
【００６９】
　以上、説明したように本発明の電波修正時計および電波修正時計の制御方法によれば、時刻修正を行ってからの経過時間を表示できるという優れた効果を奏し得る。
【図面の簡単な説明】
【００７０】
【図１】本発明の電波修正時計に係る第１実施形態の構成を示す図である。
【図２】前記第１実施形態において、時刻修正の動作を示すフローチャートである。
【図３】前記第１実施形態において、経過時間を示す秒針の駆動を示すフローチャートである。
【図４】前記第１実施形態において、経過時間に応じて秒針が示す経過時間指示位置を判定するフローチャートである。
【図５】本発明の電波修正時計に係る第２実施形態の構成を示す図である。
【図６】前記第２実施形態の時刻修正の動作を示すフローチャートである。
【図７】経過時間を示す秒針の駆動の変形例１を示す図である。
【図８】前記変形例１の経過時間に応じて秒針が示す経過時間指示位置を判定するフローチャートである。
【図９】経過時間指示位置の判定と秒針駆動の変形例２を示すフローチャートである。
【符号の説明】
【００７１】
１、１１・・・電波修正時計、２・・・受信部（受信手段）、５・・・表示部（現時刻表示手段、経過時間表示手段）、７・・・外部操作入力部、４１・・・現時刻情報記憶回路（計時手段）、４２・・・現時刻修正回路（現時刻修正手段）、４３・・・受信時刻記憶回路（受信時刻記憶手段）、４４・・・経過時間算出回路（経過時間算出手段）、４５・・・自動受信スケジュール記憶回路（自動受信スケジュール記憶手段）、４６・・・経過時間計測回路（経過時間計測手段）、５２・・・時針、５３・・・分針、５４・・・秒針
【図１】
2004077492.tif 000003
【図２】
2004077492.tif 000004
【図３】
2004077492.tif 000005
【図４】
2004077492.tif 000006
【図５】
2004077492.tif 000007
【図６】
2004077492.tif 000008
【図７】
2004077492.tif 000009
【図８】
2004077492.tif 000010
【図９】
2004077492.tif 000011